(57)【要約】【課題】組立工数、材料費、部品点数等の増加による製造コストの増大を招くことなく、ＣＯＦのフィルムの端部がプリント配線基板や液晶表示パネルから剥離するのを防止して信頼性を高めるようにした液晶モジュールを提供する。【解決手段】ＣＯＦ１１のフィルム１１ｃの一端縁１１ｅとドライバＩＣチップ１１ｄ搭載箇所との間、及び／又は、フィルム１１ｃの他端縁１１ｆとドライバＩＣチップ１１ｄ搭載箇所との間に、矩形状の開口部１１ｇを形成し、フィルムの一端縁１１ｅをプリント配線基板１０に圧着すると共に、フィルムの他端縁１１ｆを液晶表示パネル８の端部に圧着した構成の液晶モジュールとする。開口部１１ｇによりＣＯＦのフィルム１１ｃの剛性を弱め、柔軟性を増して歪み応力を低減させ、圧着されたフィルム１１ｃの両端縁１１ｅ，１１ｆに大きい歪み応力が作用しないようにして両端縁の剥離を防止する。【選択図】図１
2008185978.tif 000002
【特許請求の範囲】
【請求項１】
入力側のリードパターンと出力側のリードパターンを形成したフィルムにドライバＩＣチップを搭載してなるＣＯＦを、プリント配線基板と液晶表示パネルとの間に配置し、入力側のリードパターンの端子部が並列する上記フィルムの一端縁と、出力側のリードパターンの端子部が並列する上記フィルムの他端縁を、プリント配線基板の端部と液晶表示パネルの端部にそれぞれ圧着した液晶モジュールにおいて、
上記フィルムの一端縁とドライバＩＣチップ搭載箇所との間、及び／又は、上記フィルムの他端縁とドライバＩＣチップ搭載箇所との間に、上記ドライバＩＣチップとほぼ同じ長さを有する矩形状の開口部を、上記フィルムの一端縁及び／又は他端縁と平行に形成すると共に、この開口部の両端に開裂防止用の丸みをつけたことを特徴とする液晶モジュール。
【請求項２】
入力側のリードパターンと出力側のリードパターンを形成したフィルムにドライバＩＣチップを搭載してなるＣＯＦを、プリント配線基板と液晶表示パネルとの間に配置し、入力側のリードパターンの端子部が並列する上記フィルムの一端縁と、出力側のリードパターンの端子部が並列する上記フィルムの他端縁を、プリント配線基板の端部と液晶表示パネルの端部にそれぞれ圧着した液晶モジュールにおいて、
上記フィルムの一端縁とドライバＩＣチップ搭載箇所との間、及び／又は、上記フィルムの他端縁とドライバＩＣチップ搭載箇所との間に、開口部を形成したことを特徴とする液晶モジュール。
【請求項３】
上記開口部が矩形状の開口部であって、上記フィルムの一端縁及び／又は他端縁と平行に形成されていることを特徴とする請求項２に記載の液晶モジュール。
【発明の詳細な説明】
【技術分野】
【０００１】
本発明はテレビ等に組み込まれる液晶モジュールに関し、特に、ＣＯＦ（チップ・オン・フィルム）のフィルムの端部が液晶表示パネルやプリント配線基板から剥離しないように改良した液晶モジュールに関する。
【背景技術】
【０００２】
テレビ等に組み込まれる従来の一般的な液晶モジュールは、反射シート、バックライト用光源、光拡散プレート、光拡散シート、液晶表示パネルなどを積み重ねてフレーム内に収容すると共に、その上からベゼルで液晶表示パネルの周縁部を押さえて固定した構造を有しており、液晶表示パネルとその近傍のプリント配線基板との間にはＣＯＦが配置され、そのフィルムの両端部が液晶表示パネルとプリント配線基板に圧着されている。
【０００３】
上記のＣＯＦ（チップ・オン・フィルム）は、入力側のリードパターンと出力側のリードパターンが形成されたフレキシブルな絶縁性のフィルムにドライバＩＣチップを搭載したものであって、入力側のリードパターンの端子部が並列する上記フィルムの一端縁は、プリント配線基板の端部に感熱接着剤を介して熱圧着されており、出力側のリードパターンの端子部が並列する上記フィルムの他端縁は、液晶表示パネルの端部に感熱接着剤を介して熱圧着されている。
【０００４】
しかしながら、上記のようにＣＯＦのフィルムの両端部を熱圧着してプリント配線基板と液晶表示パネルに接合すると、大きい接合強度を得ることが難しく、しかも、ＣＯＦのフィルムはフレキシブルであるといっても、ある程度の剛性を有しているため、例えば、フレームの熱伸縮その他の原因によってＣＯＦのフィルムに歪みが繰り返し生じると、その歪み応力によってフィルムの熱圧着された端部が剥離する恐れがあった。
【０００５】
ところで、ＣＯＦの剥離防止を目的とした液晶表示装置として、ＣＯＦのフィルムの一端側（入力側）をプリント配線基板に熱圧着すると共に、ＣＯＦのフィルムの他端側（出力側）を液晶表示パネルに半田付けし、このフィルムの一端側の二箇所又は他端側の二箇所を更に接着剤で接着固定したものが知られている（特許文献１）。
【０００６】
また、ＣＯＦの剥離防止を目的としたもう一つの液晶表示装置として、プリント配線基板のサイズを大きくして、プリント配線基板の端部を液晶表示パネルの端部に両面接着テープで貼着固定し、ＣＯＦに歪み等が生じ難くなるようにしたものも知られている（特許文献２）。
【０００７】
そして、ＣＯＦ型の半導体装置として、半導体素子をフィルム基材の導体リードに突起電極を介して接合、搭載し、フィルム基材の半導体素子搭載箇所（導体リードの各先端部間の領域内）に切れ目を設けたものも知られている（特許文献３）。
【特許文献１】特開平２−９６７９５号公報
【特許文献２】特開平１−２３７６８５号公報
【特許文献３】特開２００２−２０８６１２号公報
【発明の開示】
【発明が解決しようとする課題】
【０００８】
しかしながら、特許文献１の液晶表示装置のように、ＣＯＦのフィルムの一端側の二箇所又は他端側の二箇所を更に接着剤で接着固定して補強すると、フィルムが剥離し難くなるとはいうものの、接着剤で接着固定する工程を追加する必要があるため、組立工数や材料費の増加により製造コストが高くなるという問題がある。また、特許文献２の液晶表示装置のようにサイズを大きくしたプリント配線基板の端部を液晶表示パネルの端部に両面接着テープで貼着固定する場合も、組立工数、材料費、部品点数などの増加により製造コストが高くなるという問題がある。
【０００９】
また、特許文献３のＣＯＦ型の半導体装置のように、フィルム基材の半導体素子搭載箇所（導体リードの各先端部間の領域内）に切れ目を設けたものは、熱収縮で突起電極に印加される応力によって発生する半導体素子上の保護層のクラックを防止することはできても、フィルム基材の柔軟性を高めて歪み応力を低減させることは難しい。従って、この特許文献３の技術を転用してフィルムのドライバＩＣチップ搭載箇所に切れ目を設けたＣＯＦを従来の液晶モジュールに使用し、そのフィルムの両端部をプリント配線基板と液晶表示パネルに圧着しても、フィルムに生じる比較的大きい歪み応力がフィルムの圧着された両端部に作用するので、フィルム両端部の剥離を充分防止することはできない。
【００１０】
本発明は上記事情の下になされたもので、その解決しようとする課題は、組立工数、材料費、部品点数等の増加に起因した製造コストの増大を招くことなく、ＣＯＦのフィルムの端部がプリント配線基板や液晶表示パネルから剥離するのを防止して信頼性を高めるようにした液晶モジュールを提供することにある。
【課題を解決するための手段】
【００１１】
上記の課題を解決するため、本発明に係る液晶モジュールは、入力側のリードパターンと出力側のリードパターンを形成したフィルムにドライバＩＣチップを搭載してなるＣＯＦを、プリント配線基板と液晶表示パネルとの間に配置し、入力側のリードパターンの端子部が並列する上記フィルムの一端縁と、出力側のリードパターンの端子部が並列する上記フィルムの他端縁を、プリント配線基板の端部と液晶表示パネルの端部にそれぞれ圧着した液晶モジュールにおいて、上記フィルムの一端縁とドライバＩＣチップ搭載箇所との間、及び／又は、上記フィルムの他端縁とドライバＩＣチップ搭載箇所との間に、開口部を形成したことを特徴とするものである。
【００１２】
本発明の液晶モジュールでは、上記開口部が矩形状の開口部であって、上記フィルムの一端縁及び／又は他端縁と平行に形成されていることが好ましい。
【００１３】
そして、本発明の更に具体的な好ましい液晶モジュールは、入力側のリードパターンと出力側のリードパターンを形成したフィルムにドライバＩＣチップを搭載してなるＣＯＦを、プリント配線基板と液晶表示パネルとの間に配置し、入力側のリードパターンの端子部が並列する上記フィルムの一端縁と、出力側のリードパターンの端子部が並列する上記フィルムの他端縁を、プリント配線基板の端部と液晶表示パネルの端部にそれぞれ圧着した液晶モジュールにおいて、上記フィルムの一端縁とドライバＩＣチップ搭載箇所との間、及び／又は、上記フィルムの他端縁とドライバＩＣチップ搭載箇所との間に、上記ドライバＩＣチップとほぼ同じ長さを有する矩形状の開口部を、上記フィルムの一端縁及び／又は他端縁と平行に形成すると共に、この開口部の両端に開裂防止用の丸みをつけたことを特徴とするものである。
【発明の効果】
【００１４】
本発明の液晶モジュールのように、ＣＯＦのフィルムの一端縁とドライバＩＣチップ搭載箇所との間、及び／又は、ＣＯＦのフィルムの他端縁とドライバＩＣチップ搭載箇所との間に開口部が形成されていると、この開口部によってフィルムの剛性が弱められ、柔軟性が増して、フィルムに生じる歪み応力が低減され、圧着されたフィルムの両端縁に大きい歪み応力が作用しなくなるため、フィルムの両端縁がプリント配線基板や液晶表示パネルから剥離し難くなり、信頼性が高められる。しかも、本発明の液晶モジュールは、特許文献１，２の液晶表示装置のように、接着剤で更にフィルムの端縁を接着して補強したり、プリント配線基板と液晶表示パネルを両面接着テープで貼着固定する必要がなく、従来と同様にＣＯＦのフィルムの両端縁をプリント配線基板と液晶表示パネルに圧着するだけでよいから、組立工数、材料費、部品点数等の増加による製造コストの増大を招くことがなく、製造面及び経済面で有利である。
【００１５】
また、上記開口部を矩形状の開口部となし、上記フィルムの一端縁及び／又は他端縁と平行に形成した液晶モジュールは、例えば円形の開口部を形成したものに比べると、一端縁及び／又は他端縁と平行な方向の開口寸法を長くとることができるので、フィルムの歪み応力を一層低減させて剥離防止効果を高めることができる。
【００１６】
そして、更に具体的な好ましい液晶モジュールのように、ドライバＩＣチップとほぼ同じ長さを有する矩形状の開口部を、フィルムの一端縁及び／又は他端縁と平行に形成して、該開口部の両端に開裂防止用の丸みをつけると、入力側及び／又は出力側のリードパターンの形成にそれほど支障を来すことなく、フィルムの歪み応力を充分に低減させて良好な剥離防止効果を得ることができ、しかも、開裂防止用の丸みによって、フィルムが開口部の両端から裂けるのを防止することができるので、信頼性がより一層向上する。
【発明を実施するための最良の形態】
【００１７】
以下、図面を参照して本発明の具体的な実施形態を詳述する。
【００１８】
図１は本発明の一実施形態に係る液晶モジュールの分解斜視図、図２は同液晶モジュールの要部平面図であってＣＯＦのフィルムに形成された導電パターンを省略して示したもの、図３は図２のＡ−Ａ線断面図、図４は同液晶モジュールに使用されるＣＯＦの平面図、図５はＣＯＦの他の例を示す平面図である。
【００１９】
図１に示す液晶モジュールはテレビに組み込まれるものであって、長方形のフレーム１の低部には、四辺沿いに配置される細帯状のゴムスペーサ２を介して長方形の光反射シート３が重ねられており、その上に線状光源として多数本の冷陰極管４が並列に配置されている。そして、この冷陰極管４の上側に、長方形の光拡散プレート５、下側の光拡散シート６ａ、エンボスフィルム７、上側の光拡散シート６ｂ、液晶表示パネル８が順次重ねられてフレーム１の内部に収容されており、その上からベゼル９ａ，９ｂで液晶表示パネル８の四周縁部が押さえられて、上記の各部品がフレーム１から離脱しないように固定されている。
【００２０】
液晶表示パネル８の一方の長辺の近傍には、２枚の帯状のプリント配線基板１０，１０が配置されており、これらのプリント配線基板１０，１０と液晶表示パネル８の端部（長辺部分）は数個のＣＯＦ１１を介して連結されている。また、液晶表示パネル８の一方の短辺の近傍にも、帯状のプリント配線基板１２が配置されており、このプリント配線基板１０と液晶表示パネルの端部（短辺部分）は数個のＣＯＦ１３を介して連結されている。そして、これらのプリント配線基板１０，１０，１２は、ＣＯＦ１１，１３を下方へ９０°湾曲させながら、フレーム１の側面にクッション材１４を挟んで取付けられるようになっている。
【００２１】
上記のＣＯＦ１１は、図４に示すように、入力側（プリント配線基板側）のリードパターン１１ａと出力側（液晶表示パネル側）のリードパターン１１ｂを形成したフレキシブルな絶縁性のフィルム１１ｃに、ドライバ（ソースドライバ）ＩＣチップ１１ｄを搭載したものであって、図２，図３に示すように、フィルム１１ｃの入力側のリードパターンの端子が並列する一端縁１１ｅは、プリント配線基板１０の出力側端子が形成された端部に感熱接着剤（不図示）を介して熱圧着されており、フィルム１１ｃの出力側のリードパターンの端子が並列する他端縁１１ｆは、液晶表示パネル８のデータ線の端子が形成された端部に感熱接着剤（不図示）を介して熱圧着されている。そして、このフィルム１１ｃの他端縁１１ｆとドライバＩＣチップ搭載箇所との間には、ドライバＩＣチップ１１ｄとほぼ同じ長さを有する矩形状の開口部１１ｇがフィルム１１ｃの他端縁１１ｆと平行に形成されており、この開口部１１ｇの両端のコーナー部には開裂防止用の丸み（アール）１１ｈが付けられている。このように開口部１１ｇが形成されているため、出力側のリードパターン１１ｂは、図４に示すように開口部１１ｇを迂回するパターン形状となっている。
【００２２】
上記の開口部１１ｇは、ＣＯＦ１１のフィルム１１ｃの剛性を弱め、柔軟性を高めて、フィルム１１ｃに生じる歪み応力を低減させ、プリント配線基板１０や液晶表示パネル８に熱圧着されたフィルム１１ｃの両端縁１１ｅ，１１ｆに大きい歪み応力が作用しないようにして、フィルム１１ｃの両端縁１１ｅ，１１ｆの剥離を防止するために形成されたものであって、上記のように矩形状の開口部１１ｇがフィルム１１ｃの他端縁１１ｆと平行に形成されていると、例えば円形の開口部を形成する場合に比べて、一端縁１１ｆと平行な方向の開口寸法を長くとることができるため、フィルム１１ｃの歪み応力を低減させる作用が増大し、特に、この実施形態のように開口部１１ｇの長さがドライバＩＣチップ１１ｄとほぼ同じであると、出力側のリードパターン１１ｂの形成に支障をきたす心配もなくなる。そして、開口部１１ｇの両端のコーナー部に上記の開裂防止用の丸み（アール）１１ｈをつけていると、フィルム１１ｃが開口部１１ｇの両端から裂けるのを防止することもできるので、信頼性がより一層高められる。
【００２３】
このような開口部１１ｇは、フィルム１１ｃの一端縁１１ｅとドライバＩＣチップ搭載箇所との間に形成してもよいし、フィルム１１ｃの一端縁１１ｅとドライバＩＣチップ搭載箇所との間、及び、フィルム１１ｃの他端縁１１ｆとドライバＩＣチップ搭載箇所との間、の双方に形成してもよい。特に、双方に形成する場合は、フィルム１１ｃの柔軟性が更に増して、歪み応力が大幅に低減されるため、フィルム１１ｃの両端縁１１ｅ，１１ｆの剥離防止効果が顕著になる。また、フィルム１１ｃに形成する開口部１１ｇは、図５に示すような幅の狭い矩形状（換言すればスリット状）に形成してもよく、両端の開裂防止用の丸み１１ｈは円形状に形成してもよい。
【００２４】
尚、図５に示すＣＯＦ１１は、上記のように開口部１１ｇと丸み１１ｈの形状が若干異なる点を除いて、図４に示すＣＯＦ１１と同様の構成であるから、図５において同一部材に同一符号を付し、説明を省略する。
【００２５】
液晶表示パネル８の一方の短辺とその近傍のプリント配線基板１２とを連結する前記のＣＯＦ１３は、入力側のリードパターンと出力側のリードパターンが形成されたフレキシブルな絶縁性フィルムに、上記ＣＯＦ１１のソースドライバＩＣチップ１１ｄに代えて、ゲートドライバＩＣチップを搭載したものであって、フィルムの入力側の端子が並列する一端縁は、プリント配線基板１２の出力側端子が形成された端部に感熱接着剤を介して熱圧着されており、フィルムの出力側の端子が並列する他端縁は、液晶表示パネル８の走査線の端子が形成された端部に感熱接着剤を介して熱圧着されている。
【００２６】
以上のような構成の液晶モジュールは、ＣＯＦ１１，１３のフィルム１１ｃに形成した矩形状の開口部１１ｇによってフィルム１１ｃの剛性が弱められ、柔軟性が増して、フィルム１１ｃに生じる歪み応力が低減されるため、例えば、フレーム１の熱伸縮その他の原因によってＣＯＦ１１，１３のフィルム１１ｃに歪みが繰り返し生じても、圧着されたフィルム１１ｃの両端縁１１ｅ，１１ｆに大きい歪み応力が作用しなくなる。そのため、ＣＯＦ１１，１３のフィルム１１ｃの両端縁１１ｅ，１１ｆがプリント配線基板１０，１２や液晶表示パネルから剥離し難くなり、且つ、開口部１１ｇの両端の開裂防止用の丸み１１ｈによって、フィルム１１ｃが開口部１１ｇの両端から裂ける心配もなくなるので、信頼性が大幅に高められる。しかも、この液晶モジュールは、特許文献１，２の液晶表示装置のように、接着剤で更にフィルムの端縁を接着して補強したり、プリント配線基板と液晶表示パネルを両面接着テープで貼着固定する必要がなく、従来と同様にＣＯＦ１１，１３のフィルム１１ｃの両端縁１１ｅ，１１ｆをプリント配線基板１０，１２と液晶表示パネル８に圧着するだけでよいから、組立工数、材料費、部品点数等の増加による製造コストの増大を招く心配がなく、製造面及び経済面で有利である。
【図面の簡単な説明】
【００２７】
【図１】本発明の一実施形態に係る液晶モジュールの分解斜視図である。
【図２】同液晶モジュールの要部平面図であって、ＣＯＦのフィルムに形成された導電パターンを省略して示したものである。
【図３】図２のＡ−Ａ線断面図である。
【図４】同液晶モジュールに使用されるＣＯＦの平面図である。
【図５】ＣＯＦの他の例を示す平面図である。
【符号の説明】
【００２８】
１    フレーム
３    光反射シート
４    冷陰極管
５    光拡散プレート
６ａ，６ｂ  光拡散シート
７    エンボスフィルム
８    液晶表示パネル
９ａ，９ｂ  ベゼル
１０，１２  プリント配線基板
１１，１３  ＣＯＦ
１１ａ  入力側のリードパターン
１１ｂ  出力側のリードパターン
１１ｃ  フィルム
１１ｄ  ドライバＩＣチップ（ソースドライバＩＣチップ）
１１ｅ  フィルムの一端縁
１１ｆ  フィルムの他端縁
１１ｇ  開口部
１１ｈ  開裂防止用の丸み
【図１】
2008185978.tif 000003
【図２】
2008185978.tif 000004
【図３】
2008185978.tif 000005
【図４】
2008185978.tif 000006
【図５】
2008185978.tif 000007